(57)【要約】【課題】床下に配設された鉄骨梁の熱橋対策を効果的に図ることが可能な断熱材支持構造及び断熱材支持方法を得る。【解決手段】圧縮可能とされた梁下断熱材３０を保持する紐部材５２のフック５４が断熱材支持金具２８の係止孔３４の周辺部３４Ａ、係止孔３６の周辺部３６Ａにそれぞれ係止された状態で、床下断熱材２４に対して当該梁下断熱材３０を押し付けて圧縮させた状態で配置することができる。これにより、当該梁下断熱材３０と床下断熱材２４とが連続的に設けられた状態を維持することができ、この状態で、床小梁２０の下部２１が覆われるようになっている。すなわち、ここでは、床下断熱材２４と梁下断熱材３０との間で隙間が形成されないようにすることが可能となり、床下断熱材２４と梁下断熱材３０によって当該床小梁２０の熱橋対策を図ることができる。【選択図】図１
2020076206.tif 000002
【特許請求の範囲】
【請求項１】
床下に配設された鉄骨梁に固定される固定部と、前記固定部と繋がって当該固定部から離間する方向へ向かって水平方向に延びる支持片の自由端部に形成された支持部と、を含んで構成された断熱材支持具を備え、
前記鉄骨梁の側壁部に当接し、前記床下と床上の間を断熱する第１断熱材と、
圧縮可能な材料で形成されると共に前記支持部に支持可能とされ、当該支持部に支持された状態で圧縮されて前記第１断熱材と連続的に設けられ前記鉄骨梁の下部を覆う第２断熱材と、
を有する断熱材支持構造。
【請求項２】
前記第２断熱材を保持可能とされ、当該第２断熱材を保持した状態で前記支持部に支持可能とされる保持部材が設けられている請求項１に記載の断熱材支持構造。
【請求項３】
前記固定部は、前記鉄骨梁の下面に当接可能な第１当接部を含んで構成されている請求項１又は請求項２に記載の断熱材支持構造。
【請求項４】
前記固定部は、前記第１断熱材と前記鉄骨梁の側壁部との間に差し込まれ、当該第１断熱材によって当該鉄骨梁の側壁部側へ向かって押圧される押圧壁部をさらに含んで構成されている請求項３に記載の断熱材支持構造。
【請求項５】
前記固定部は、前記鉄骨梁の上面に当接可能な第２当接部を含んで構成されている請求項１又は請求項２に記載の断熱材支持構造。
【請求項６】
前記固定部は、前記第１断熱材と前記鉄骨梁の側壁部との間に配置可能とされ、当該第１断熱材によって当該鉄骨梁の側壁部側へ向かって押圧される押圧壁部をさらに含んで構成されている請求項５に記載の断熱材支持構造。
【請求項７】
床下に配設された鉄骨梁の側壁部に当接可能とされた押圧壁部と、前記押圧壁部と繋がり当該押圧壁部から離間する方向へ向かって水平方向に延びる支持片の自由端部に形成された支持部と、を含んで構成された断熱材支持具を用いた断熱材支持方法であって、
前記床下と床上の間を断熱する第１断熱材を前記鉄骨梁の側壁部に当接させた状態で配置する第１断熱材配置工程と、
前記押圧壁部を下方側から前記鉄骨梁の側壁部と前記第１断熱材の間に差し込み、前記断熱材支持具を当該鉄骨梁に固定する断熱材支持具固定工程と、
前記鉄骨梁の下部を覆うと共に前記第１断熱材に押し付けられ圧縮する第２断熱材を保持する保持部材を前記支持部に支持させる第２断熱材保持工程と、
を含んで構成された断熱材支持方法。
【請求項８】
床下に配設された鉄骨梁に固定される固定部と、前記固定部と繋がって当該固定部から離間する方向へ向かって水平方向に延びる支持片の自由端部に形成された支持部と、を含んで構成された断熱材支持具を用いた断熱材支持方法であって、
前記鉄骨梁に対して前記断熱材支持具を上方側から取付け、前記断熱材支持具を前記鉄骨梁に固定する断熱材支持具固定工程と、
前記床下と床上の間を断熱する第１断熱材を前記鉄骨梁の側壁部に当接させた状態で配置する第１断熱材配置工程と、
前記鉄骨梁の下部を覆うと共に前記第１断熱材に押し付けられ圧縮する第２断熱材を保持する保持部材を前記支持部に支持させる第２断熱材保持工程と、
を含んで構成された断熱材支持方法。
【発明の詳細な説明】
【技術分野】
【０００１】
本発明は、断熱材支持構造及び断熱材支持方法に関する。
【背景技術】
【０００２】
下記特許文献１には、床下に配置された根太等の横架材（以下、「鉄骨梁」という）に装着されて板状断熱材を支持する断熱材支持具に関する技術が開示されている。この先行技術では、断熱材支持具が、鉄骨梁の側壁部に当接するように配置される垂直板部と、この垂直板部の下端から水平方向に沿って延びる下方水平板部と、を備えており、下方水平板部にリブ状の突起や三角アーム状の折曲げによる補強部を設けることで、板状断熱材の荷重を受けるようになっている。
【先行技術文献】
【特許文献】
【０００３】
【特許文献１】特開２００９−３０４０６号公報
【発明の概要】
【発明が解決しようとする課題】
【０００４】
しかしながら、上記先行技術では、鉄骨梁の梁下において、局部的に熱を伝えてしまうヒートブリッジ（熱橋）を抑制するための対策、いわゆる熱橋対策については何ら考慮されていない。このため、上記先行技術において、熱橋対策を図るべく、鉄骨梁の梁下を断熱材（以下、「梁下断熱材」という）で覆おうとすると、断熱材支持具の下方水平板部を含んで三角アーム状に形成された補強部の頂部を引掛け部とし、当該引掛け部を介して梁下断熱材を保持させることが考えられる。
【０００５】
上記先行技術では、当該補強部の底辺部を構成する下方水平板部と、当該補強部の頂部を構成する引掛け部との間には高低差がある。このため、下方水平板部の上方側に設けられる板状断熱材と下方水平板部の下方側に設けられる梁下断熱材との間には、隙間が生じてしまう。したがって、この隙間から鉄骨梁が露出することとなり、上記先行技術において、鉄骨梁の梁下の熱橋対策を図ることは困難である。
【０００６】
本発明は、上記事実を考慮し、床下に配設された鉄骨梁の熱橋対策を効果的に図ることが可能な断熱材支持構造及び断熱材支持方法を提供することを目的とする。
【課題を解決するための手段】
【０００７】
本発明の第１態様に係る断熱材支持構造は、床下に配設された鉄骨梁に固定される固定部と、前記固定部と繋がって当該固定部から離間する方向へ向かって水平方向に延びる支持片の自由端部に形成された支持部と、を含んで構成された断熱材支持具を備え、前記鉄骨梁の側壁部に当接して設けられ、前記床下と床上の間を断熱する第１断熱材と、圧縮可能な材料で形成されると共に前記支持部に支持可能とされ、当該支持部に支持された状態で圧縮されて前記第１断熱材と連続的に設けられ前記鉄骨梁の下部を覆う第２断熱材と、を有している。
【０００８】
本発明の第１態様に係る断熱材支持構造では、固定部と支持部を含んで構成された断熱材支持具を備えている。固定部は、床下に配設された鉄骨梁に固定されるようになっている。また、固定部には、当該固定部と繋がり固定部から離間する方向へ向かって水平方向に延びる支持片が設けられており、当該支持片の自由端部には、支持部が設けられている。
【０００９】
一方、鉄骨梁の側壁部には、床下と床上の間を断熱する第１断熱材が当接して設けられている。つまり、鉄骨梁の側壁部は第１断熱材によって覆われた状態となっている。また、断熱材支持具の支持部には、圧縮可能な材料で形成された第２断熱材が支持可能とされている。この第２断熱材は、断熱材支持具の支持部に支持された状態で、第１断熱材に対して第２断熱材を押し付け当該第２断熱材は圧縮されて配置される。
【００１０】
したがって、第２断熱材が断熱材支持具の支持部に支持された状態で、第１断熱材と第２断熱材とが連続的に設けられた状態を維持することができる。これにより、当該第１断熱材及び第２断熱材によって、鉄骨梁は側壁部及び下部が覆われることとなる。すなわち、本態様では、第１断熱材と第２断熱材との間で隙間が形成されないようにすることが可能となり、第１断熱材及び第２断熱材によって当該鉄骨梁の熱橋対策を図ることができる。
【００１１】
本発明の第２態様に係る断熱材支持構造は、本発明の第１態様に係る断熱材支持構造において、前記第２断熱材を保持可能とされ、当該第２断熱材を保持した状態で前記支持部に支持可能とされる保持部材が設けられている。
【００１２】
本発明の第２態様に係る断熱材支持構造では、第２断熱材を保持可能な保持部材が設けられている。この保持部材は、第２断熱材を保持した状態で断熱材支持具の支持部に支持可能とされている。断熱材支持具の支持部によって保持部材が支持されることによって、第１断熱材に対して第２断熱材が圧縮された状態で配置されることとなる。
【００１３】
本発明の第３態様に係る断熱材支持構造は、本発明の第１態様又は第２態様に係る断熱材支持構造において、前記固定部は、前記鉄骨梁の下面に当接可能な第１当接部を含んで構成されている。
【００１４】
本発明の第３態様に係る断熱材支持構造では、断熱材支持具の固定部は、鉄骨梁の下面に当接可能な第１当接部を含んで構成されているため、本態様では、断熱材支持具は鉄骨梁の下方側から鉄骨梁に取付けられ固定されることとなる。したがって、本態様では、建物の建築後に第２断熱材を取付けることが可能であり、また、建物の建築後に当該第２断熱材を交換することも可能である。
【００１５】
なお、ここでの「当接可能」には、鉄骨梁の下面に対して、直接第１当接部が当接する場合以外に、鉄骨梁の下面に対して、他の部材を介して間接的に第１当接部が当接する場合も含まれる。
【００１６】
本発明の第４態様に係る断熱材支持構造は、本発明の第３態様に係る断熱材支持構造において、前記固定部は、前記第１断熱材と前記鉄骨梁の側壁部との間に差し込まれ、当該第１断熱材によって当該鉄骨梁の側壁部側へ向かって押圧される押圧壁部をさらに含んで構成されている。
【００１７】
本発明の第４態様に係る断熱材支持構造では、断熱材支持具の固定部は、第１断熱材と鉄骨梁の側壁部との間に差し込まれる押圧壁部をさらに含んで構成されており、当該押圧壁部は、第１断熱材と鉄骨梁の側壁部との間に差し込まれた状態で、当該第１断熱材から鉄骨梁の側壁部側へ向かって押圧されるようになっている。
【００１８】
前述のように、断熱材支持具は、鉄骨梁の下方側から鉄骨梁の下面に当接し固定されるようになっているため、断熱材支持具の第１当接部が鉄骨梁の下面に当接する際、断熱材支持具の押圧壁部は、第１断熱材と鉄骨梁の側壁部の間に差し込まれる。このように、押圧壁部が第１断熱材と鉄骨梁の側壁部の間に差し込まれた状態で、当該押圧壁部は、第１断熱材によって鉄骨梁の側壁部側へ向かって押圧される。
【００１９】
これにより、押圧壁部と第１断熱材との間には摩擦力が生じる。この摩擦力によって第１断熱材は支持可能とされる。したがって、断熱材支持具の支持片において、第１断熱材による負荷は軽減される。
【００２０】
その結果、断熱材支持具の支持片において、当該支持片によって第１断熱材が支持された際に生じる、断熱材支持具の固定部を基点として当該支持片が下方側へ向かう撓み変形が軽減される。これにより、断熱材支持具の支持片が下方側へ撓み第１断熱材と第２断熱材との間に隙間が生じ鉄骨梁が露出することを抑制することができる。
【００２１】
本発明の第５態様に係る断熱材支持構造は、本発明の第１態様又は第２態様に係る断熱材支持構造において、前記固定部は、前記鉄骨梁の上面に当接可能な第２当接部を含んで構成されている。
【００２２】
本発明の第５態様に係る断熱材支持構造では、断熱材支持具の固定部は、鉄骨梁の上面に当接可能な第２当接部を含んで構成されているため、本態様では、断熱材支持具は鉄骨梁の上方側から鉄骨梁に取付けられ固定されることとなる。すなわち、本態様では、断熱材支持具は、鉄骨梁の上面に第２当接部を当接させた状態で、断熱材支持具は支持されることになるため、落下防止用として断熱材支持具を鉄骨梁に仮止めさせるための接着剤等の必要が無く、作業性がよい。
【００２３】
なお、ここでの「当接可能」には、鉄骨梁の上面に対して、直接第２当接部が当接する場合以外に、鉄骨梁の上面に対して、他の部材を介して間接的に第２当接部が当接する場合も含まれる。
【００２４】
本発明の第６態様に係る断熱材支持構造は、本発明の第５態様に係る断熱材支持構造において、前記固定部は、前記第１断熱材と前記鉄骨梁の側壁部との間に配置可能とされ、当該第１断熱材によって当該鉄骨梁の側壁部側へ向かって押圧される押圧壁部をさらに含んで構成されている。
【００２５】
本発明の第６態様に係る断熱材支持構造では、断熱材支持具の固定部は、第１断熱材と鉄骨梁の側壁部との間に配置可能な押圧壁部をさらに含んで構成されており、押圧壁部は、第１断熱材と鉄骨梁の側壁部との間に配置された状態で、当該第１断熱材から鉄骨梁の側壁部側へ向かって押圧されるようになっている。
【００２６】
前述のように、断熱材支持具は、鉄骨梁の上方側から鉄骨梁の上面に当接し固定されるようになっているため、断熱材支持具の第２当接部が鉄骨梁の上面に当接する際、断熱材支持具の押圧壁部は、第１断熱材と鉄骨梁の側壁部の間に配置される。このように、押圧壁部が第１断熱材と鉄骨梁の側壁部の間に配置された状態で、当該押圧壁部は、第１断熱材によって鉄骨梁の側壁部側へ向かって押圧される。
【００２７】
これにより、押圧壁部と第１断熱材との間には摩擦力が生じる。この摩擦力によって第１断熱材は支持可能とされる。したがって、断熱材支持具の支持片において、第１断熱材による負荷は軽減される。その結果、断熱材支持具の支持片において、当該支持片によって第１断熱材が支持された際に生じる、断熱材支持具の固定部を基点として当該支持片が下方側へ向かう撓み変形を軽減することが可能となる。
【００２８】
本発明の第７態様に係る断熱材支持方法は、床下に配設された鉄骨梁の側壁部に当接可能とされた押圧壁部と、前記押圧壁部と繋がり当該押圧壁部から離間する方向へ向かって水平方向に延びる支持片の自由端部に形成された支持部と、を含んで構成された断熱材支持具を用いた断熱材支持方法であって、前記床下と床上の間を断熱する第１断熱材を前記鉄骨梁の側壁部に当接させた状態で配置する第１断熱材配置工程と、前記押圧壁部を下方側から前記鉄骨梁の側壁部と前記第１断熱材の間に差し込み、前記断熱材支持具を当該鉄骨梁に固定する断熱材支持具固定工程と、前記鉄骨梁の下部を覆うと共に前記第１断熱材に押し付けられ圧縮する第２断熱材を保持する保持部材を前記支持部に支持させる第２断熱材保持工程と、を含んで構成されている。
【００２９】
本発明の第７態様に係る断熱材支持方法では、押圧壁部と支持部とを含んで構成された断熱材支持具が用いられる。押圧壁部は床下に配設された鉄骨梁の側壁部に当接可能とされており、支持部は、押圧壁部と繋がり当該押圧壁部から離間する方向へ向かって水平方向に延びる支持片の自由端部に形成されている。
【００３０】
本態様では、第１断熱材配置工程において、鉄骨梁の側壁部に当接させた状態で第１断熱材を配置させる。次に、断熱材支持具固定工程では、断熱材支持具の押圧壁部を下方側から鉄骨梁の側壁部と第１断熱材の間に差し込み、当該断熱材支持具を鉄骨梁に固定させる。そして、第２断熱材保持工程では、鉄骨梁の下部を覆うと共に第１断熱材に押し付けられ圧縮する第２断熱材を保持する保持部材を支持部に支持させる。
【００３１】
以上のように、本態様では、鉄骨梁に対して断熱材支持具を下方側から取付けるが、床下に配設された鉄骨梁の下部を覆う第２断熱材が圧縮可能であるため、床下で作業をする際に、第２圧縮材を圧縮させることによって、作業の邪魔にならないようにすることができる。
【００３２】
本発明の第８態様に係る断熱材支持方法は、床下に配設された鉄骨梁に固定される固定部と、前記固定部と繋がって当該固定部から離間する方向へ向かって水平方向に延びる支持片の自由端部に形成された支持部と、を含んで構成された断熱材支持具を用いた断熱材支持方法であって、前記鉄骨梁に対して前記断熱材支持具を上方側から取付け、前記断熱材支持具を前記鉄骨梁に固定する断熱材支持具固定工程と、前記床下と床上の間を断熱する第１断熱材を前記鉄骨梁の側壁部に当接させた状態で配置する第１断熱材配置工程と、前記鉄骨梁の下部を覆うと共に前記第１断熱材に押し付けられ圧縮する第２断熱材を保持する保持部材を前記支持部に支持させる第２断熱材保持工程と、を含んで構成されている。
【００３３】
本発明の第８態様に係る断熱材支持方法では、固定部と支持部とを含んで構成された断熱材支持具が用いられる。固定部は床下に配設された鉄骨梁に固定されるようになっている。また、支持部は、当該固定部と繋がり固定部から離間する方向へ向かって水平方向に延びる支持片の自由端部に形成されている。
【００３４】
本態様では、断熱材支持具固定工程において、鉄骨梁に対して断熱材支持具を上方側から取付け、鉄骨梁に固定させる。次に、第１断熱材配置工程では、鉄骨梁の側壁部に当接させた状態で第１断熱材を配置させる。そして、第２断熱材保持工程では、鉄骨梁の下部を覆うと共に第１断熱材に押し付けられて圧縮する第２断熱材を保持する保持部材を支持部に支持させる。
【００３５】
以上のように、本態様では、鉄骨梁に対して断熱材支持具を上方側から取付けるため、例えば、鉄骨材の上に固定部を載せるだけで断熱材支持具が鉄骨材に支持されるようにすることが可能となる。
【発明の効果】
【００３６】
以上説明したように、本態様に係る断熱材支持構造及び断熱材支持方法は、床下に配設された鉄骨梁の熱橋対策を効果的に図ることができる、という優れた効果を有する。
【図面の簡単な説明】
【００３７】
【図１】本実施形態に係る断熱材支持構造が適用されたユニット建物の床部の構成を示す断面図である。
【図２】第１実施形態に係る断熱材支持構造に用いられる断熱材支持具の構成を示す斜視図である。
【図３】第１実施形態に係る断熱材支持構造の構成を示す斜視断面図である。
【図４】第１実施形態に係る断熱材支持方法を示す、（Ａ）は、床小梁の側壁部に当接して床下断熱材を配置させた状態を示す断面図であり、（Ｂ）は、床小梁と床下断熱材の間に断熱材支持具を差し込む前の状態を示す断面図である。
【図５】第１実施形態に係る断熱材支持方法を示す、（Ａ）は、床小梁と床下断熱材の間に断熱材支持具を差し込んだ後の状態を示す断面図であり、（Ｂ）は、梁下断熱材を保持する紐部材を断熱材支持具に係止させる前の状態を示す断面図である。
【図６】第１実施形態に係る断熱材支持方法を示す、梁下断熱材を保持する紐部材を断熱材支持具に係止させた後の状態を示す断面図である。
【図７】第１実施形態に係る断熱材支持構造に用いられる断熱材支持具の変形例を示す斜視図である。
【図８】（Ａ）は、第２実施形態に係る断熱材支持構造に用いられる断熱材支持具の構成を示す斜視図であり、（Ｂ）は、（Ａ）の要部を拡大した一部拡大斜視図である。
【図９】（Ａ）は、第２実施形態に係る断熱材支持構造に用いられる断熱材支持具の第１変形例を示す斜視図であり、（Ｂ）は、（Ａ）の要部を拡大した一部拡大斜視図である。
【図１０】（Ａ）は、第２実施形態に係る断熱材支持構造に用いられる断熱材支持具の第２変形例を示す斜視図であり、（Ｂ）は、（Ａ）の要部を拡大した一部拡大斜視図である。
【図１１】（Ａ）は、第２実施形態に係る断熱材支持構造に用いられる断熱材支持具の第３変形例を示す斜視図であり、（Ｂ）は、（Ａ）の要部を拡大した一部拡大斜視図である。
【図１２】（Ａ）は、第２実施形態に係る断熱材支持構造に用いられる断熱材支持具の第４変形例を示す斜視図であり、（Ｂ）は、（Ａ）の要部を拡大した一部拡大斜視図である。
【図１３】（Ａ）は、第２実施形態に係る断熱材支持構造に用いられる断熱材支持具の第５変形例を示す斜視図であり、（Ｂ）は、（Ａ）の要部を拡大した一部拡大斜視図である。
【図１４】第３実施形態に係る断熱材支持構造に用いられる断熱材支持具の構成を示す斜視図である。
【図１５】第３実施形態に係る断熱材支持構造の構成を示す斜視断面図である。
【図１６】第３実施形態に係る断熱材支持方法を示す、（Ａ）は、床大梁と床大梁の間に床下断熱材を配置させる前の状態を示す断面図であり、（Ｂ）は、床大梁と床大梁の間に床下断熱材を配置させた後の状態、かつ床大梁に断熱材支持具を固定させる前の状態を示す断面図である。
【図１７】第３実施形態に係る断熱材支持方法を示す、（Ａ）は、床大梁に断熱材支持具を固定させた後の状態を示す断面図であり、（Ｂ）は、梁下断熱材を保持する紐部材を断熱材支持具に係止させる前の状態を示す断面図である。
【図１８】第３実施形態に係る断熱材支持方法を示す、梁下断熱材を保持する紐部材を断熱材支持具に係止させた後の状態を示す断面図である。
【図１９】第４実施形態に係る断熱材支持構造に用いられる断熱材支持具の構成を示す斜視図である。
【図２０】第４実施形態に係る断熱材支持構造の構成を示す断面図である。
【発明を実施するための形態】
【００３８】
以下、図面を用いて、本実施の形態に係る断熱材支持構造が適用されたユニット建物の床部における一実施形態について説明する。
【００３９】
＜第１実施形態＞
（断熱材支持構造の構成）
【００４０】
図１に示されるように、例えば、ユニット建物１０の骨格の一部を構成する建物ユニット１２の床部１６について説明する。まず、当該建物ユニット１２は、図示はしないが、略箱形を成しており、建物ユニット１２の四隅には、それぞれ同じ長さを有する角筒状の柱が立設されている。建物ユニット１２の床部１６において、建物ユニット１２の桁方向（長手方向；矢印Ａ方向）に沿って隣り合う柱間は、図示しない床大梁によって架け渡されており、建物ユニット１２の妻方向（短手方向；矢印Ａ方向に対して直交する方向）に沿って隣り合う柱間は、床大梁（鉄骨梁）１８によってそれぞれ架け渡されている。また、建物ユニット１２において、妻方向に対向する図示しない床大梁間には、複数の床小梁（鉄骨梁）２０が所定の間隔で架け渡されている。
【００４１】
これら複数の床大梁１８と床小梁２０とは、その上面高さが略同じとなっており、床大梁１８及び床小梁２０の上には根太２２がそれぞれ設けられている。そして、根太２２を含んで隣り合う床大梁１８と床小梁２０、床小梁２０と床小梁２０の間には、床下５６と床上５８の間を断熱する床下断熱材（第１断熱材）２４がそれぞれ配置されている。この床下断熱材２４は、例えば、ウレタンフォーム等の合成樹脂の発泡体からなる発泡系断熱材により板状に形成されており、所定の厚みを有した矩形板状を成している。
【００４２】
さらに、根太２２の上には、床下地材２６が設けられている。当該床下地材２６として、例えば、パーティクルボードが用いられており、床下地材２６の上には、図示はしないがフローリング等の床仕上げ材が敷設されている。
【００４３】
一方、床小梁２０の下部２１には、後述する断熱材支持金具（断熱材支持具）２８が固定されている。この断熱材支持金具２８には、例えば、グラスウールやロックウール等の繊維で形成された圧縮可能な梁下断熱材（第２断熱材）３０が支持されている。この梁下断熱材３０は、床下断熱材２４に接触した状態で配置されており、梁下断熱材３０と床下断熱材２４とは連続的に設けられている。つまり、梁下断熱材３０は、床下断熱材２４との間に隙間が設けられていない状態で配置されている。なお、梁下断熱材３０は、圧縮可能な断熱材であればよいため、繊維系の断熱材に限るものではない。
【００４４】
（断熱材支持具の構成）
ここで、本実施形態に係る断熱材支持具の構成について説明する。
【００４５】
図２には、本実施の形態に係る断熱材支持金具２８を右斜め前方側から見た斜視図が示されている。図２に示される断熱材支持金具２８は、矩形板状の金属板がプレス加工により形成されたものである。金属板としては、例えば、表面に防錆塗装を施した炭素鋼、ステンレス鋼などの合金鋼、銅ニッケル合金などの非鉄金属などの各種金属材料を用いることが可能である。なお、本実施形態では、断熱材支持金具２８は、金属で形成されているが、梁下断熱材３０が支持可能であればよいため、必ずしも金属に限るものではない。例えば、繊維強化樹脂等によって形成されてもよい。
【００４６】
断熱材支持金具２８は、固定部３２と、支持部としての係止孔３４の周辺部３４Ａ、係止孔３６の周辺部３６Ａと、を含んで構成されている。固定部３２は、断熱材支持金具２８の長手方向（矢印Ｌ）の略中央部に設けられており、図１〜図３に示されるように、床小梁２０の下面２０Ａに当接可能な当接部（第１当接部）３９と、床下断熱材２４によって床小梁２０の側壁部２０Ｂ側へ向かって押圧される押圧壁部３７、３８と、を含んで構成されている。さらに、当該押圧壁部３７、３８は、床小梁２０の側壁部２０Ｂに当接可能な縦壁部（押圧壁部）４０、４２と、床下断熱材２４が当接可能なバネ板部（押圧壁部）４４、４６と、を含んで構成されている。
【００４７】
当接部３９は、断熱材支持金具２８の下部を構成しており、平面視で略矩形状を成している。この当接部３９は、前述のように、床小梁２０の下面２０Ａに当接可能とされ固定されるようになっている。例えば、本実施形態では、当該当接部３９は、床小梁２０の下面２０Ａに対して、接着剤４５（図４（Ｂ）参照）等を介して固定される。つまり、この場合、当接部３９は、床小梁２０の下面２０Ａに対して、接着剤４５等を介して間接的に当接することとなるが、本態様ではこのような場合も含まれる。
【００４８】
また、縦壁部４０、４２は、断熱材支持金具２８の長手方向（矢印Ｌ）から見て矩形状を成して形成されており、当接部３９の両端３９Ａ、３９Ｂからそれぞれ上方側へ向かって起立すると共に、上方側へ向かうにつれて互いに近づく方向へ向かって僅かに傾斜して形成されている。
【００４９】
縦壁部４０の上端４０Ａからは、下方側へ向かうにつれて当該縦壁部４０から離間する方向へ向かって僅かに傾斜するバネ板部４４が形成されている。当該バネ板部４４は、断熱材支持金具２８の長手方向（矢印Ｌ）から見て矩形状を成しており、バネ板部４４には、床下断熱材２４が圧接されるように設定されている。
【００５０】
また、バネ板部４４の下端４４Ａからは、平面視で矩形状を成す支持片４８が当該バネ板部４４から離間する方向へ向かって略水平方向に延びている。そして、支持片４８の自由端部には、断熱材支持金具２８の長手方向（矢印Ｌ）に対して略直交する幅方向（矢印Ｗ）を長手方向とする矩形状の係止孔３４が形成されている。
【００５１】
当該縦壁部４０と同様に、縦壁部４２の上端４２Ａからは、下方側へ向かうにつれて当該縦壁部４２から離間する方向へ向かって僅かに傾斜するバネ板部４６が形成されている。当該バネ板部４６は、断熱材支持金具２８の長手方向（矢印Ｌ）から見て矩形状を成しており、バネ板部４６には、床下断熱材２４が圧接されるように設定されている。
【００５２】
また、バネ板部４６の下端４６Ａからは、平面視で矩形状を成す支持片５０が当該バネ板部４６から離間する方向へ向かって略水平方向に延びており、支持片５０の自由端部には、断熱材支持金具２８の幅方向（矢印Ｗ）を長手方向とする矩形状の係止孔３６が形成されている。なお、バネ板部４４、４６の上下方向の長さは、縦壁部４０、４２の上下方向の長さよりもそれぞれ短くなるように設定されている。
【００５３】
一方、床小梁２０の下部２１側に設けられる梁下断熱材３０は、グラスウールやロックウール等の繊維で形成され圧縮可能とされており、ビニールタイ等で形成された紐部材（保持部材）５２によって保持されるようになっている。そして、紐部材５２の端部５２Ａには、フック５４が設けられており、当該フック５４が、支持片４８、５０にそれぞれ形成された係止孔３４、３６の周辺部３４Ａ、３６Ａに係止可能とされる。
【００５４】
このように、梁下断熱材３０を保持する紐部材５２のフック５４が、断熱材支持金具２８の係止孔３４、３６の周辺部３４Ａ、３６Ａにそれぞれ係止された状態で、梁下断熱材３０は断熱材支持金具２８に支持される。この状態で、梁下断熱材３０が床下断熱材２４に接触し、梁下断熱材３０と床下断熱材２４とが連続的に設けられる。すなわち、当該梁下断熱材３０は、床下断熱材２４との間に隙間が設けられていない状態で配置されることとなる。
【００５５】
なお、当該フック５４は必ずしも必要ではなく、図示はしないが、紐部材５２の端部５２Ａが当該係止孔３４、３６内へ挿通されたあと、当該紐部材５２の端部５２Ａを紐部材５２自体に巻き付けることで、紐部材５２が係止孔３４、３６の周辺部３４Ａ、３６Ａに係止されるようにしてしてもよい。また、紐部材５２は、伸縮性を有する部材が用いられてもよい。
【００５６】
（断熱材支持具の作用及び効果）
次に、本実施形態に係る断熱材支持具の作用及び効果について説明する。
【００５７】
図１に示されるように、建物ユニット１２の床部１６では、床大梁１８及び床小梁２０の上に設けられた根太２２の上に床下地材２６が設けられ、さらに、床下地材２６の上には図示しない床仕上げ材が敷設される。
【００５８】
本実施形態では、まず、床小梁２０と床小梁２０、及び床小梁２０と床大梁１８の間において、図４（Ａ）に示されるように、床小梁２０の側壁部２０Ｂに当接させた状態で床下断熱材２４が配置される。つまり、床小梁２０の側壁部２０Ｂは、床下断熱材２４によって覆われた状態となっている。
【００５９】
次に、図４（Ｂ）に示されるように、床小梁２０に対して断熱材支持金具２８を下方側から取付ける。具体的に説明すると、図４（Ｂ）、図５（Ａ）に示されるように、断熱材支持金具２８の押圧壁部３７、３８（縦壁部４０、４２、バネ板部４４、４６）を、床小梁２０の側壁部２０Ｂと床下断熱材２４の間に差し込む。
【００６０】
ここで、例えば、床小梁２０の下面２０Ａ、又は断熱材支持金具２８の当接部３９には、接着剤４５が塗布されており、断熱材支持金具２８の縦壁部４０、４２及びバネ板部４４、４６を床小梁２０の側壁部２０Ｂと床下断熱材２４の間に差し込んだとき、当該接着剤４５を介して断熱材支持金具２８の当接部３９が床小梁２０の下面２０Ａに当接する。これにより、断熱材支持金具２８の当接部３９及び床小梁２０の下面２０Ａを介して、断熱材支持金具２８が床小梁２０の下部２１に固定されることとなる（断熱材支持具固定工程）。
【００６１】
なお、図示はしないが、さらに縦壁部４０、４２の内面側にも接着剤が塗布され、当該接着剤を介して断熱材支持金具２８の縦壁部４０、４２が床小梁２０の側壁部２０Ｂに固定されるようになっていてもよい
【００６２】
次に、図５（Ｂ）、図６に示されるように、紐部材５２で保持された梁下断熱材３０を断熱材支持金具２８に係止させる。
【００６３】
具体的に説明すると、本実施形態では、断熱材支持金具２８の支持片４８、５０の自由端部にそれぞれ設けられた係止孔３４の周辺部３４Ａ、係止孔３６の周辺部３６Ａに対して、紐部材５２の端部５２Ａに設けられたフック５４をそれぞれ係止させる（第２断熱材保持工程）。この状態で、梁下断熱材３０は床下断熱材２４に接触する。
【００６４】
これにより、本実施形態では、梁下断熱材３０と床下断熱材２４とが連続的に設けられ、床下断熱材２４によって床小梁２０の側壁部２０Ｂが覆われると共に、梁下断熱材３０によって床小梁２０の下面２０Ａを含み、床小梁２０の下部２１が覆われるようになっている。
【００６５】
ところで、本実施形態では、図２、図６に示されるように、断熱材支持金具２８が、固定部３２と、支持部としての係止孔３４の周辺部３４Ａ、係止孔３６の周辺部３６Ａと、を含んで構成され、固定部３２が、床下５６に配設された床小梁２０に固定されるようになっている。
【００６６】
ここで、固定部３２には、当該固定部３２と繋がり固定部３２から離間する方向へ向かって水平方向に延びる支持片４８、５０がそれぞれ設けられており、係止孔３４、３６は、当該支持片４８、５０の自由端部にそれぞれ設けられている。一方、前述のように、図示はしないが、床大梁１８（図１参照）と床小梁２０（図１参照）、床小梁２０と床小梁２０の間には、床下断熱材２４が床小梁２０の両側壁部２０Ｂと当接して設けられている。また、断熱材支持金具２８の係止孔３４の周辺部３４Ａ、係止孔３６の周辺部３６Ａは、梁下断熱材３０を保持する紐部材５２を支持可能としている。
【００６７】
当該梁下断熱材３０は、圧縮可能とされており、当該梁下断熱材３０を保持する紐部材５２のフック５４が断熱材支持金具２８の係止孔３４の周辺部３４Ａ、係止孔３６の周辺部３６Ａにそれぞれ係止された状態で、床下断熱材２４に対して当該梁下断熱材３０を押し付け圧縮させた状態で配置することができる。
【００６８】
したがって、梁下断熱材３０を保持する紐部材５２のフック５４が断熱材支持金具２８の係止孔３４の周辺部３４Ａ、係止孔３６の周辺部３６Ａにそれぞれ係止された状態で、床下断熱材２４と梁下断熱材３０とが連続的に設けられた状態を維持することができる。これにより、当該床下断熱材２４と梁下断熱材３０によって、床小梁２０は側壁部２０Ｂ及び床小梁２０の下面２０Ａを含む床小梁２０の下部２１が覆われた状態が維持される。すなわち、本実施形態では、床下断熱材２４と梁下断熱材３０との間で隙間が形成されないようにすることが可能となり、床下断熱材２４と梁下断熱材３０によって当該床小梁２０の熱橋対策を図ることができる。
【００６９】
このように、本実施形態では、梁下断熱材３０は床小梁２０の熱橋対策を図る部材の一つとして用いられるが、熱橋対策を図るために必要な断熱性能を得るため、梁下断熱材３０において使用される材料に応じて、床小梁２０の幅方向に沿った寸法Ｗ１（図６参照）は異なる。この寸法Ｗ１は、断熱材支持金具２８の支持片４８、５０の長さによって決まるため、断熱性能の高い梁下断熱材３０が用いられる場合、断熱性能の低い梁下断熱材３０が用いられる場合と比較して、支持片４８、５０の長さは短くなる。つまり、本実施形態では、支持片４８、５０において、予め床小梁２０の熱橋対策を図るために必要な長さとなるように設定されている。
【００７０】
また、本実施形態では、断熱材支持金具２８の固定部３２は、床小梁２０の下面２０Ａに当接可能な当接部３９を含んで構成されており、断熱材支持金具２８は床小梁２０の下方側から床小梁２０に取付けられ固定されるようになっている。
【００７１】
したがって、本実施形態では、建物の建築後に梁下断熱材３０を取付けることが可能であり、また、建物の建築後に当該梁下断熱材３０を交換することも可能である。特に、本実施形態では、梁下断熱材３０が圧縮可能であるため、床下５６で作業をする際に、梁下断熱材３０を圧縮させることにより作業の邪魔にならないようにすることができ、作業効率を向上させることができる。
【００７２】
また、本実施形態では、断熱材支持金具２８に係止孔３４、３６が形成され、梁下断熱材３０を取付ける際には、当該係止孔３４の周辺部３４Ａ、係止孔３６の周辺部３６Ａに当該梁下断熱材３０を保持する紐部材５２のフック５４を係止させるだけなので、作業性が良い。なお、当該断熱材支持金具２８は、工場生産時に予め床小梁２０に取付けられてもよい。
【００７３】
さらに、本実施形態では、断熱材支持金具２８の固定部３２は、床下断熱材２４と床小梁２０の側壁部２０Ｂとの間に差し込まれる押圧壁部３７、３８を含んで構成されており、当該押圧壁部３７、３８は、床下断熱材２４によって当該床小梁２０の側壁部２０Ｂ側へ向かって押圧される（押圧力Ｆ）ようになっている。
【００７４】
前述のように、断熱材支持金具２８は、床小梁２０の下方側から床小梁２０に取付けられ固定されるようになっているため、断熱材支持金具２８の当接部３９が床小梁２０の下面２０Ａに当接する際、断熱材支持金具２８の押圧壁部３７、３８は、床下断熱材２４と床小梁２０の側壁部２０Ｂの間に差し込まれる。
【００７５】
このように、押圧壁部３７、３８が床下断熱材２４と床小梁２０の側壁部２０Ｂの間に差し込まれた状態で、当該押圧壁部３７、３８は、床下断熱材２４によって床小梁２０の側壁部２０Ｂ側へ向かって押圧される（押圧力Ｆ）。これにより、床下断熱材２４と押圧壁部３７、３８との間には摩擦力が生じる。この摩擦力によって床下断熱材２４は支持され、断熱材支持金具２８の支持片４８、５０において、床下断熱材２４による負荷が軽減される。
【００７６】
その結果、断熱材支持金具２８の支持片４８、５０において、当接部３９の両端３９Ａ、３９Ｂを基点として下方側へ向かう撓みを軽減することが可能となる。また、押圧壁部３７、３８が床下断熱材２４と床小梁２０の側壁部２０Ｂの間に差し込まれた状態で、当該押圧壁部３７、３８と床下断熱材２４との間に摩擦力が生じることによって、断熱材支持金具２８を落下し難くすることができる。
【００７７】
また、本実施形態では、押圧壁部３７、３８は、床小梁２０の側壁部２０Ｂに当接可能な縦壁部４０、４２と、床下断熱材２４が当接可能なバネ板部４４、４６と、を含んで構成されている。前述のように、押圧壁部３７、３８が床下断熱材２４と床小梁２０の側壁部２０Ｂの間に差し込まれた状態では、床下断熱材２４によって、バネ板部４４、４６が床小梁２０の側壁部２０Ｂ側へ向かってそれぞれ押圧される。
【００７８】
当該バネ板部４４、４６は、それぞれ縦壁部４０の上端４０Ａ、縦壁部４２の上端４２Ａから下方側へ向かうにつれて当該縦壁部４０、４２から離間する方向へ向かって僅かに傾斜している。このため、床下断熱材２４によってバネ板部４４、４６が押圧されることによって、当該バネ板部４４、４６は、それぞれ縦壁部４０の上端４０Ａ、縦壁部４２の上端４２Ａを中心に縦壁部４０、４２側へ向かってそれぞれ弾性変形し、付勢力が生じる。この付勢力によって、床下断熱材２４に対して、バネ板部４４、４６による反力が増大し、当該バネ板部４４、４６と床下断熱材２４との間の摩擦力が増えることとなる。          
【００７９】
また、前述のように、バネ板部４４、４６は、それぞれ縦壁部４０の上端４０Ａ、縦壁部４２の上端４２Ａから下方側へ向かうにつれて当該縦壁部４０、４２から離間する方向へ向かって傾斜している。このため、当該バネ板部４４、４６の斜面４４Ｂ、４６Ｂを利用して、床下断熱材２４を上方側へ付勢する力を発生させることができる。つまり、バネ板部４４、４６によって床下断熱材２４が支持された状態が維持されることとなる。
【００８０】
（本実施形態の変形例）
図２に示されるように、本実施形態では、断熱材支持金具２８において、押圧壁部３７、３８が、床小梁２０の側壁部２０Ｂに当接可能な縦壁部４０、４２と、床下断熱材２４が当接可能なバネ板部４４、４６と、を含んで構成されているが、当該バネ板部４４、４６は必ずしも必要ではない。
【００８１】
例えば、図７に示されるように、断熱材支持金具（断熱材支持具）６０では、押圧壁部６２、６４にバネ板部４４、４６（図２参照）は設けられていないが、このような構成でもよい。
【００８２】
本実施形態における押圧壁部６２、６４は、床小梁２０の側壁部２０Ｂ及び床下断熱材２４が当接可能な縦壁部６６、６８を含んで構成されている。この縦壁部６６、６８の幅方向（矢印Ｗ）の中央部には、断熱材支持金具６０の長手方向（矢印Ｌ）から見て矩形状を成す切欠き部７０、７２がそれぞれ形成されている。切欠き部７０、７２の下辺７０Ａ、７２Ａからは、平面視で矩形状を成す支持片７４、７６が当該縦壁部６６、６８から離間する方向へ向かってそれぞれ略水平方向に延びている。そして、支持片７４、７６の自由端部には、円形の係止孔７４Ａ、７６Ａがそれぞれ形成されている。
【００８３】
なお、図２に示されるように、断熱材支持金具２８では、支持片４８、５０の自由端部に形成された係止孔３４、３６は、それぞれ矩形孔とされている。つまり、断熱材支持金具において、係止孔の形状については特に規定されるものではない。
【００８４】
＜第２実施形態＞
（断熱材支持具の構成）
【００８５】
図２、図４（Ｂ）に示されるように、第１実施形態では、断熱材支持金具２８の当接部３９は、床小梁２０の下面２０Ａに固定されるようになっている。これに対して、図８（Ａ）、（Ｂ）に示される、第２実施形態における断熱材支持金具（断熱材支持具）１００では、図示はしないが、断熱材支持金具１００の上部に設けられた当接部（第２当接部）１０２が図３に示す床小梁２０の上に設けられた根太２２の上面２２Ａに固定されるようになっている。
【００８６】
ここで、第２実施形態に係る断熱材支持金具１００の構成について説明する。なお、以下の説明において、第１実施形態と略同じ構成については同じ符号を用いて説明を割愛する。
【００８７】
図８（Ａ）には、本実施の形態に係る断熱材支持金具１００を左斜め前方側から見た斜視図が示されている。図８（Ａ）に示されるように、断熱材支持金具１００は、固定部１０４と、係止片（支持部）１１８、１２０と、を含んで構成されている。
【００８８】
固定部１０４は、断熱材支持金具１００の長手方向（矢印Ｌ）の略中央部に設けられており、前述したように、図３に示される根太２２を介して床小梁２０の上面２０Ｃに当接可能な当接部１０２と、床下断熱材２４によって床小梁２０の側壁部２０Ｂ側へ向かって押圧される縦壁部（押圧壁部）１１０、１１２と、を含んで構成されている。
【００８９】
当接部１０２は、断熱材支持金具１００の上部を構成しており、平面視で略矩形状を成している。当接部１０２は、根太２２の上面２２Ａに当接して固定されるようになっている。また、縦壁部１１０、１１２は、当接部１０２の両端１０２Ａ、１０２Ｂからそれぞれ下方側へ向かって垂下されており、縦壁部１１０の下端１１０Ａからは、当該縦壁部１１０から離間する方向へ向かって支持片１１４が略水平方向に延びている。また、縦壁部１１２の下端１１２Ａからは、当該縦壁部１１２から離間する方向へ向かって支持片１１６が略水平方向に延びている。
【００９０】
この支持片１１４、１１６の自由端からは、断熱材支持金具１００の長手方向（矢印Ｌ）から見て矩形状の係止片１１８、１２０がそれぞれ垂下されている。支持片１１４、１１６と係止片１１８、１２０との間には、平面視で矩形状を成す係止孔１０６、１０８がそれぞれ形成されており、支持片１１４、１１６と係止片１１８、１２０との間で形成される係止孔１０６、１０８の内縁は、逆Ｌ字状を成している。
【００９１】
そして、図８（Ａ）、（Ｂ）に示されるように、係止孔１０６、１０８を通じて係止片１１８、１２０に対して、梁下断熱材３０を保持する紐部材５２の端部５２Ａに設けられたフック５４が断熱材支持金具１００の内側から係止可能とされる。なお、図８（Ｂ）は、図８（Ａ）で示す係止片１２０側を拡大したものである。また、以下で説明する図９（Ａ）、（Ｂ）〜図１１（Ａ）、（Ｂ）も図８（Ａ）、（Ｂ）と同じである。
【００９２】
（断熱材支持具の作用及び効果）
次に、第２実施形態に係る断熱材支持金具１００の作用及び効果について説明する。
【００９３】
本実施形態では、図示はしないが、図３に示す床小梁２０の上に設けられた根太２２に対して、図８（Ａ）、（Ｂ）に示す断熱材支持金具１００を上方側から取付け、当該断熱材支持金具１００を床小梁２０に固定する（断熱材支持具固定工程）。
【００９４】
次に、図８（Ａ）、（Ｂ）に示す断熱材支持金具１００の縦壁部１１０、１１２に当接させた状態で床下断熱材２４を配置させる（第１断熱材配置工程）。そして、断熱材支持金具１００の支持片１１４、１１６に梁下断熱材３０を保持する紐部材５２を支持させる（第２断熱材配置工程）。
【００９５】
本実施形態では、図８（Ａ）、（Ｂ）に示す断熱材支持金具１００の固定部１０４は、図３に示す床小梁２０の上面２０Ｃに当接可能な当接部１０２を含んで構成されており、図示はしないが、本実施形態では、断熱材支持金具１００は、床小梁２０の上に設けられた根太２２の上方側から床小梁２０に取付けられ固定される。
【００９６】
つまり、図８（Ａ）、（Ｂ）に示す断熱材支持金具１００は、図３に示す根太２２の上面２２Ａに当接部１０２を当接させた状態で、断熱材支持金具１００は床小梁２０に支持されることになるため、落下防止用として断熱材支持金具１００を床小梁２０に仮止めさせるための接着剤等の必要が無く、作業性がよい。
【００９７】
（本実施形態の変形例）
上記実施形態では、図８（Ａ）に示されるように、断熱材支持金具１００において、支持片１１４、１１６の自由端からそれぞれ係止片１１８、１２０が垂下され、支持片１１４、１１６と係止片１１８、１２０との間で、支持部としての係止片１１８、１２０がそれぞれ設けられているが、当該支持部はこれに限るものではない。なお、以下の説明において、第２実施形態と略同じ構成については同じ符号を用いて説明を割愛する。
【００９８】
（１）第１変形例として、図９（Ａ）に示されるように、断熱材支持金具（断熱材支持具）１３０では、一対の支持片１３２の自由端からそれぞれ係止片（支持部）１３４が垂下されている。この係止片１３４は、断熱材支持金具１３０の長手方向（矢印Ｌ）から見て略矩形状を成しており、係止片１３４には切欠き部１３６がそれぞれ形成されている。
【００９９】
本実施形態における切欠き部１３６は、係止片１３４の上下方向の中央部かつ前後において、断熱材支持金具１３０の幅方向（矢印Ｗ）に沿って矩形状にそれぞれ切り欠かれた前側切欠き部１３６Ａ、後側切欠き部１３６Ｂによって構成されている。このため、図９（Ａ）、（Ｂ）に示されるように、当該前側切欠き部１３６Ａ、後側切欠き部１３６Ｂを通じて係止片１３４に対して、紐部材５２の端部５２Ａに設けられた環状部１３８が係止されるようになっていてもよい。なお、係止片１３４の形状はこれに限るものではない。
【０１００】
（２）第２変形例として、図１０（Ａ）に示されるように、断熱材支持金具（断熱材支持具）１４０では、一対の支持片１４２の自由端からそれぞれ係止部（支持部）１４４が垂下されている。この係止部１４４は、正面視で略Ｕ字状を成しており、内側を構成する内壁部１４４Ａと外側を構成する外壁部１４４Ｂと、内壁部１４４Ａと外壁部１４４Ｂを繋ぐ奥壁部１４４Ｃと、を含んで構成されている。これにより、図１０（Ａ）、（Ｂ）に示されるように、この係止部１４４に、紐部材５２の端部５２Ａに設けられた環状部１３８が係止されるようになっていてもよい。
【０１０１】
（３）第３変形例として、図１１（Ａ）に示されるように、断熱材支持金具（断熱材支持具）１５０では、一対の支持片１５２の自由端からそれぞれ係止片（支持部）１５４が垂下されている。この係止片１５４は、断熱材支持金具１５０の長手方向（矢印Ｌ）から見て矩形状を成しており、係止片１５４には、当該係止片１５４の上下方向の中央部かつ前部において、断熱材支持金具１５０の幅方向（矢印Ｗ）に沿って矩形状の切欠き部１５４Ａが形成されている。
【０１０２】
なお、本実施形態では、図１１（Ａ）、（Ｂ）に示されるように、当該切欠き部１５４Ａには、帯状の紐部材（保持部材）１５６の端部１５６Ａに設けられたストッパ１５８が係止されるようになっている。つまり、係止部の形状等に応じて、紐部材１５６の構成は適宜変更可能である。
【０１０３】
以上の実施形態では、断熱材支持具に形成された係止片に紐部材が係止されるようになっているが、断熱材支持具によって梁下断熱材を支持することができればよいため、これに限るものではない。
【０１０４】
（４）第４変形例として、図１２（Ａ）に示されるように、断熱材支持金具（断熱材支持具）１６０では、一対の支持片１６２の自由端からそれぞれ係止部（支持部）１６４が垂下されている。この係止部１６４は、図１０（Ａ）に示す断熱材支持金具１４０と同様に、正面視で略Ｕ字状を成しており、図１２（Ａ）に示されるように、内側を構成する内壁部１６４Ａと、外側を構成する外壁部１６４Ｂと、内壁部１６４Ａと外壁部１６４Ｂを繋ぐ奥壁部１６４Ｃと、を含んで構成されている。
【０１０５】
ここで、当該内壁部１６４Ａは、先端へ向かうにつれて肉厚が細くなるように形成されている。このため、本実施形態では、図１２（Ｂ）に示されるように、当該係止部１６４に対して、梁下断熱材３０を当該内壁部１６４Ａの上方側から刺突させることによって、係止部１６４に梁下断熱材３０を支持させることができる。
【０１０６】
つまり、本実施形態では、図８（Ｂ）等に示される紐部材５２は必ずしも必要ではない。なお、図１２（Ｂ）は、図１２（Ａ）で示す断熱材支持金具１６０によって梁下断熱材３０が支持された状態を示しており、床小梁２０の幅方向に沿って切断したときの断面図である。また、以下で説明する図１３（Ａ）、（Ｂ）も図１２（Ａ）、（Ｂ）と同じである。
【０１０７】
また、図１２（Ａ）、（Ｂ）では、断熱材支持金具１６０の係止部１６４の内壁部１６４Ａに対して、梁下断熱材３０を上方側から刺突させることによって、係止部１６４に梁下断熱材３０を支持させることができるが、刺突方向については規定されない。
【０１０８】
（５）第５変形例として、図１３（Ａ）に示されるように、断熱材支持金具（断熱材支持具）１７０では、一対の支持片１７２の自由端からそれぞれ係止部１７４が垂下されている。この係止部１７４は、正面視で略逆Ｌ字状を成しており、図１３（Ａ）では、外側を構成する外壁部１７６と、当該外壁部１７６の下端から内側へ向かって略水平に沿って形成された刺突片（支持部）１７８と、を含んで構成されている。
【０１０９】
本実施形態では、刺突片１７８は、前後方向の中央部が三角形状に切り欠かれており、刺突片１７８の前部及び後部には、平面視で三角形状を成す刺突部１７８Ａ、１７８Ｂがそれぞれ形成されている。これにより、図１３（Ｂ）に示されるように、この刺突部１７８Ａ、１７８Ｂに対して梁下断熱材３０を略水平方向に沿って刺突させることによって、当該刺突部１７８Ａ、１７８Ｂを介して、係止部１７４に梁下断熱材３０を支持させることができるようにしてもよい。
【０１１０】
＜第３実施形態＞
上記第１実施形態、第２実施形態では、図１に示される床小梁２０に固定され当該床小梁２０の下部２１を覆う梁下断熱材３０を支持する断熱材支持金具２８について説明した。これに対して、本実施形態では、床大梁１８に固定され当該床大梁１８の下部１９を覆う梁下断熱材（第２断熱材）１８０を支持する断熱材支持金具（断熱材支持具）１８２、１８４について説明する。
【０１１１】
本実施形態では、梁下断熱材１８０は、建物ユニット１２の床大梁１８に固定された断熱材支持金具１８２、及び、当該建物ユニット１２の隣に設置された建物ユニット１４の床大梁１８６に固定された断熱材支持金具（断熱材支持具）１８４に支持されるようになっている。つまり、本実施形態では、隣り合って配置された建物ユニット１２、１４の妻方向に沿ってそれぞれ配置された床大梁１８、１８６に固定される断熱材支持金具１８４について説明する。なお、当該断熱材支持金具１８４は、図示はしないが、隣り合って配置された建物ユニットの桁方向に沿って配置された床大梁同士に固定されてもよい。
【０１１２】
（断熱材支持具の構成）
ここで、本実施形態に係る断熱材支持具の構成について説明する。
【０１１３】
図１４には、本実施の形態に係る断熱材支持金具１８２、１８４を右斜め前方側から見た斜視図がそれぞれ示されている。図１４に示されるように、断熱材支持金具１８２と断熱材支持金具１８４は略同じ形状であるため、両者を代表して断熱材支持金具１８２の構成について説明する。
【０１１４】
まず、図１５に示されるように、床大梁１８は、上下方向に沿って切断したときの断面形状は、床小梁２０（図１参照）側を開口側とする略Ｕ字状に形成されており、ウエブ（鉄骨梁の側壁部）１８Ａと、上フランジ１８Ｂと、下フランジ１８Ｃと、を含んで構成されている。
【０１１５】
また、床大梁１８内には、グラスウールやロックウール等の繊維で形成された圧縮可能な断熱材１８８（図１参照）が充填されており、断熱材支持金具１８２は、床大梁１８の下フランジ１８Ｃに固定されるようになっている。なお、床大梁１８６については、床大梁１８と略同じ構成であるため、床大梁１８を構成する構成部材と同じ構成部材については、アルファベットを用いて説明は省略する。
【０１１６】
図１４に示されるように、断熱材支持金具１８２は、固定部１９０と、支持部としての係止孔１９６の周辺部１９６Ａと、を含んで構成されている。固定部１９０は、断熱材支持金具１８２の下部を構成しており、係止孔１９６は断熱材支持金具１８２の上部を構成する支持片１９２の自由端部に形成されている。また、固定部１９０と支持片１９２の間には、両者を繋ぐ縦壁部（固定部）１９４が設けられている。
【０１１７】
固定部１９０は、図１４、図１５に示されるように、床大梁１８の下フランジ１８Ｃを挟持可能としている。固定部１９０では、金属板が上下に重なるように湾曲されており、当該固定部１９０内には床大梁１８の下フランジ１８Ｃが進入可能とされている。
【０１１８】
固定部１９０の口部１９０Ａ側は、奥部１９０Ｂ側よりも上下方向の隙間が小さくなっており、固定部１９０内に床大梁１８の下フランジ１８Ｃが進入する際、当該固定部１９０は弾性変形し、当該固定部１９０によって床大梁１８の下フランジ１８Ｃが挟持されるようになっている。また、支持片１９２に設けられた係止孔１９６の周辺部１９６Ａには、図１に示す梁下断熱材１８０を保持する紐部材５２のフック５４が係止可能とされる。
【０１１９】
（断熱材支持具の作用及び効果）
次に、本実施形態に係る断熱材支持具の作用及び効果について説明する。
【０１２０】
図１６（Ａ）、（Ｂ）に示されるように、床大梁１８、１８６内にはそれぞれ断熱材１８８が充填される。また、当該床大梁１８と床小梁（図示省略）、床大梁１８６と床小梁（図示省略）の間に床下断熱材２４がそれぞれ配置される。さらに、床大梁１８のウエブ１８Ａと床大梁１８６のウエブ（鉄骨梁の側壁部）１８６Ａの間には、ウレタンフォーム等の合成樹脂の発泡体からなる発泡系断熱材により形成された床下断熱材（第１断熱材）１９８が配置されている。なお、建物ユニット１２の床下地材２６と建物ユニット１４の床下地材２６の間には、ドッキング部床材２７が嵌合されるようになっている。
【０１２１】
次に、床大梁１８に対して断熱材支持金具１８２を取付け、床大梁１８６に対して断熱材支持金具１８４を取付ける。具体的に説明すると、図１６（Ｂ）、図１７（Ａ）に示されるように、床大梁１８の下フランジ１８Ｃに対して、断熱材支持金具１８２の固定部１９０を略水平方向に沿って移動させ、当該下フランジ１８Ｃを固定部１９０内へ進入させ、床大梁１８に断熱材支持金具１８２を固定させる（断熱材支持具固定工程）。このとき、断熱材支持金具１８２の縦壁部１９４によって断熱材１８８は圧縮される。
【０１２２】
次に、図１５、図１７（Ｂ）、図１８に示されるように、紐部材５２で保持された梁下断熱材１８０を断熱材支持金具１８２に係止させる。具体的に説明すると、断熱材支持金具１８２の支持片１９２の自由端部にそれぞれ形成された係止孔１９６の周辺部１９６Ａに対して、紐部材５２に設けられたフック５４を係止させる（第２断熱材保持工程）。
【０１２３】
また、床大梁１８と同様に、床大梁１８６の下フランジ１８６Ｃを断熱材支持金具１８４の固定部２００内へ進入させ、床大梁１８６に断熱材支持金具１８４を固定させる（断熱材支持具固定工程）。このとき、断熱材支持金具１８４の縦壁部（固定部）２０２によって断熱材１８８は圧縮される。
【０１２４】
次に、図１７（Ａ）、（Ｂ）、図１８に示されるように、断熱材支持金具１８４の支持片２０４の自由端部にそれぞれ形成された係止孔２０６の周辺部２０６Ａに対して、紐部材５２に設けられたフック５４を係止させる（第２断熱材保持工程）。
【０１２５】
これにより、図１８に示されるように、梁下断熱材１８０が床下断熱材２４及び断熱材１８８に接触し、床下断熱材２４と梁下断熱材１８０とが連続的に設けられると共に、床下断熱材１９８と梁下断熱材１８０とが連続的に設けられる。その結果、当該床下断熱材２４、１９８及び梁下断熱材１８０によって、床大梁１８のウエブ１８Ａ、床大梁１８６のウエブ１８６Ａを含んで床大梁１８の下部１９及び床大梁１８６の下部１８７が覆われることとなる。これにより、床大梁１８及び床大梁１８６の熱橋対策を図ることができる。
【０１２６】
＜第４実施形態＞
上記第３実施形態では、図１８に示されるように、隣り合って配置された建物ユニット１２の床大梁１８及び建物ユニット１４の床大梁１８６に固定され、当該床大梁１８の下部１９及び床大梁１８６の下部１８７を覆う梁下断熱材１８０を支持する断熱材支持金具１８２、１８４について説明した。
【０１２７】
これに対して、本実施形態では、図２０に示されるように、ユニット建物１１の外壁を含む建物ユニット２１０の床大梁２１２に固定され、当該床大梁２１２の下部２１３を覆う梁下断熱材（第２断熱材）２１４を支持する断熱材支持金具（断熱材支持具）２１６について説明する。なお、以下の説明において、第３実施形態と略同じ構成については同じ符号を用いて説明を割愛する。
【０１２８】
（断熱材支持具の構成）
以下、本実施形態に係る断熱材支持具の構成について説明する。
【０１２９】
図１９には、本実施の形態に係る断熱材支持金具２１６を右斜め前方側から見た斜視図が示されている。図１９に示されるように、断熱材支持金具２１６は、固定部２１８と、係止孔２２０の周辺部（支持部）２２０Ａ、係止孔２２２の周辺部（支持部）２２２Ａと、を含んで構成されている。
【０１３０】
固定部２１８は、断熱材支持金具２１６の下部を構成している。また、係止孔２２０は、断熱材支持金具１８２と同様に、断熱材支持金具２１６の上部を構成する支持片２２４の自由端部に形成されている。そして、固定部２１８と支持片２２４の間には、両者を繋ぐ縦壁部（固定部）２２６が設けられている。
【０１３１】
固定部２１８は、図２０に示されるように、床大梁２１２の下フランジ２１２Ｃを挟持可能としている。図１９に示されるように、固定部２１８は湾曲して形成されており、当該固定部２１８内に床大梁２１２の下フランジ２１２Ｃが進入可能とされる。固定部２１８の口部２１８Ａ側は、奥部２１８Ｂ側よりも上下方向の隙間が小さくなっており、固定部２１８内に床大梁２１２の下フランジ２１２Ｃが進入する際、当該固定部２１８は弾性変形し、当該固定部２１８によって床大梁２１２の下フランジ２１２Ｃが挟持される。
【０１３２】
ここで、固定部２１８の口部２１８Ａからは、平面視で略矩形状を成す支持片２２８が支持片２２４とは反対側へ向かって縦壁部２２６から離間する方向へ略水平方向に延びている。支持片２２８は、床大梁２１２の下フランジ２１２Ｃの長さよりも長く形成され、当該床大梁２１２の熱橋対策を図るために必要な長さとなるように設定されている。
【０１３３】
そして、支持片２２４に形成された係止孔２２０の周辺部２２０Ａ、及び支持片２２８に形成された係止孔２２２の周辺部２２２Ａに、図２０に示す梁下断熱材２１４を保持する紐部材５２のフック５４がそれぞれ係止可能とされる。
【０１３４】
図２０に示されるように、支持片２２４に形成された係止孔２２０の周辺部２２０Ａ、支持片２２８に形成された係止孔２２２の周辺部２２２Ａに、梁下断熱材２１４を保持する紐部材５２のフック５４がそれぞれ係止された状態で、梁下断熱材２１４は、床下断熱材２４及び断熱材１８８に接触する。これにより、床下断熱材２４と梁下断熱材２１４とが連続的に設けられると共に、断熱材１８８と梁下断熱材２１４とが連続的に設けられる。つまり、梁下断熱材２１４、床下断熱材２４及び断熱材１８８によって、床大梁２１２は覆われることとなり、これにより、床大梁２１２の熱橋対策を図ることができる。
【０１３５】
本発明は、上記の実施形態に限るものではなく、その主旨を逸脱しない範囲内において種々の変形、変更、改良が可能である。例えば、上記に示した実施形態及び変形例は、適宜、複数を組み合わせて構成してもよい。
【符号の説明】
【０１３６】
１８    床大梁（鉄骨梁）
１８Ａ  ウエブ（鉄骨梁の側壁部）
１９    下部（鉄骨梁の下部）
２０    床小梁（鉄骨梁）
２０Ｂ  側壁部（鉄骨梁の側壁部）
２０Ｃ  上面（鉄骨梁の上面）
２１    下部（鉄骨梁の下部）
２４    床下断熱材（第１断熱材）
２８    断熱材支持金具（断熱材支持具）
３０    梁下断熱材（第２断熱材）
３２    固定部
３４    係止孔（支持部）
３４Ａ  周辺部（支持部）
３６    係止孔（支持部）
３６Ａ  周辺部（支持部）
３７    押圧壁部（固定部）
３８    押圧壁部（固定部）
３９    当接部（第１当接部、固定部）
４８    支持片
５０    支持片
５２    紐部材（保持部材）
５６    床下
５８    床上
６０    断熱材支持金具（断熱材支持具）
６２    押圧壁部（固定部）
６４    押圧壁部（固定部）
７４    支持片
７４Ａ  係止孔（支持部）
７６    支持片
７６Ａ  係止孔（支持部）
１００  断熱材支持金具
１０２  当接部（第２当接部、固定部）
１０４  固定部
１１０  縦壁部（押圧壁部）
１１２  縦壁部（押圧壁部）
１１４  支持片
１１６  支持片
１１８  係止片（支持部）
１２０  係止片（支持部）
１３０  断熱材支持金具（断熱材支持具）
１３２  支持片
１３４  係止片（支持部）
１４０  断熱材支持金具（断熱材支持具）
１４２  支持片
１４４  係止部（支持部）
１５０  断熱材支持金具（断熱材支持具）
１５２  支持片
１５４  係止片（支持部）
１５６  紐部材（保持部材）
１６０  断熱材支持金具（断熱材支持具）
１６２  支持片
１６４  係止部（支持部）
１７０  断熱材支持金具（断熱材支持具）
１７２  支持片
１７４  係止部（支持部）
１７８  刺突片（支持部）
１８０  梁下断熱材（第２断熱材）
１８２  断熱材支持金具（断熱材支持具）
１８４  断熱材支持金具（断熱材支持具）
１８６  床大梁
１８６Ａ       ウエブ（鉄骨梁の側壁部）
１８７  下部（鉄骨梁の下部）
１９０  固定部
１９２  支持片
１９４  縦壁部（固定部）
１９６  係止孔（支持部）
１９６Ａ       周辺部（支持部）
１９８  床下断熱材（第１断熱材）
２００  固定部
２０２  縦壁部（固定部）
２０４  支持片
２０６  係止孔
２０６Ａ       周辺部（支持部）
２１２  床大梁（鉄骨梁）
２１３  下部（鉄骨梁の下部）
２１４  梁下断熱材（第２断熱材）
２１６  断熱材支持金具（断熱材支持具）
２１８  固定部
２２０  係止孔（支持部）
２２０Ａ       周辺部（支持部）
２２２  係止孔（支持部）
２２２Ａ       周辺部（支持部）
２２４  支持片
２２６  縦壁部（固定部）
２２８  支持片
【図１】
2020076206.tif 000003
【図２】
2020076206.tif 000004
【図３】
2020076206.tif 000005
【図４】
2020076206.tif 000006
【図５】
2020076206.tif 000007
【図６】
2020076206.tif 000008
【図７】
2020076206.tif 000009
【図８】
2020076206.tif 000010
【図９】
2020076206.tif 000011
【図１０】
2020076206.tif 000012
【図１１】
2020076206.tif 000013
【図１２】
2020076206.tif 000014
【図１３】
2020076206.tif 000015
【図１４】
2020076206.tif 000016
【図１５】
2020076206.tif 000017
【図１６】
2020076206.tif 000018
【図１７】
2020076206.tif 000019
【図１８】
2020076206.tif 000020
【図１９】
2020076206.tif 000021
【図２０】
2020076206.tif 000022